(57)【要約】【課題】  電子レンジで加熱調理する際に、容器本体の外壁を外装する外装紙の上端部分の蓄熱を緩和させた断熱容器を提供する。【解決手段】  カップ状の容器本体（１）と、容器本体（１）の外壁を外装する外装紙（２）と、からなる断熱容器であり、容器本体（１）には、内容液（３）が注入されてなり、外装紙（２）は、外装紙（２）の上端が、容器本体（１）に注入された内容液（３）の上液面（６）の下側に位置し、外装紙（２）の下端が、容器本体（１）に注入された内容液（３）の底液面（７）の上側に位置するように外装される。【選択図】  図１
2006199310.tif 000002
【特許請求の範囲】
【請求項１】
カップ状の容器本体と、前記容器本体の外壁を外装する外装紙と、からなる断熱容器であって、
前記容器本体には、内容液が注入されてなり、
前記外装紙は、前記外装紙の上端が前記容器本体に注入された内容液の上液面の下側に位置するように外装されてなることを特徴とする断熱容器。
【請求項２】
前記外装紙は、前記外装紙の下端が前記容器本体に注入された内容液の底液面の上側に位置するように外装されてなることを特徴とする請求項１記載の断熱容器。
【請求項３】
前記容器本体は、前記外装紙の上端の外装位置を固定する紙止部を有し、
前記外装紙は、前記紙止部により前記外装紙の上端の外装位置が固定されることを特徴とする請求項１記載の断熱容器。
【請求項４】
前記紙止部は、前記容器本体の外側に突出してなり、該突出した紙止部に、前記外装紙の上端が固定されてなることを特徴とする請求項３記載の断熱容器。
【請求項５】
前記容器本体と、前記外装紙と、の間に空間が形成されてなることを特徴とする請求項１記載の断熱容器。
【発明の詳細な説明】
【技術分野】
【０００１】
本発明は、即席食器の容器として主に用いられる断熱容器に関するものであり、特に、電子レンジに好適な断熱容器に関するものである。
【背景技術】
【０００２】
従来において、プラスチック製の容器本体の外壁に紙を巻付けた電子レンジ用の断熱容器がある。この断熱容器は、電子レンジでの加熱が過剰に行われた際に、容器本体の外側を構成する紙が発熱し、容器本体に穴が開き、また、容器本体の外側を構成する紙自体にも焦げが発生する場合がある。
【０００３】
なお、内容物が注入された断熱容器を電子レンジで加熱調理した際に、容器本体の外側を構成する紙自体に焦げが発生する要因としては、以下の理由が挙げられる。
【０００４】
紙は、電子レンジのマイクロ波を吸収することになり、紙の重なる部分では、紙厚が増加することになるため、発熱量が増加することになる。また、容器本体の外側を構成する紙自体の表面積は変化しないため、熱の放出量は変化せず、断熱容器に発生した熱が容器本体の外側を構成する紙に蓄積されることになる。このため、断熱容器の温度が上昇し、容器本体の外側を構成する紙に一定量の熱が蓄積された場合には、紙に蓄積された熱により、容器本体に穴が開いたり、紙自体に焦げが発生したりすることになる。
【０００５】
このようなことから、本発明より先に出願された技術文献として、胴部材と底部材とからなる、糸じり部を有する紙カップ本体と、該紙カップ本体の外周に保護カバーとを備えた断熱紙カップであって、前記保護カバーの表面の少なくとも前記糸じり部を遮断する領域に少なくとも金属層を有する金属テープを貼着することで、断熱紙カップの中に、飲料や即席食品などの内容物を入れ、電子レンジで加熱調理した時に、糸じり部をはじめ断熱紙カップに焦げを発生することのない電子レンジ用断熱紙カップがある（例えば、特許文献１参照）。
【０００６】
また、本発明より先に出願された技術文献として、容器本体の胴部に設けられた縦リブの外側に、紙を巻付け、熱湯を注加したり、電子レンジ等で内容物を加熱調理の上、その容器を手で持って喫食する時、熱さに対し手で持ち易く、また変形し難い容器がある（例えば、特許文献２参照）。
【０００７】
また、電子レンジで食品が内装されたまま加熱調理を行うカップ状包装体の側壁周辺を所定の間隙を保って外装する有底の円錐逆台形状の外カップであって、該外カップの側壁上部と前記カップ状包装体の側壁上部との間に係合手段が形成され、電子レンジによる加熱調理を容器ごとに行い、そのまま食卓に供する場合に断熱効果があり、印刷効果にすぐれた外装体がある（例えば、特許文献３参照）。
【特許文献１】特開２００１−１４５５６３号公報
【特許文献２】実開平６−７２８７７号公報
【特許文献３】特開平１０−３３８２７７号公報
【発明の開示】
【発明が解決しようとする課題】
【０００８】
なお、上記特許文献１は、容器本体の糸じり部に対する焦げの発生を防止することを主眼としたものであり、容器本体の外壁を外装する外装紙の上端に対する焦げの発生を防止することについては何ら考慮されたものではない。また、上記特許文献２、３も同様に、容器本体の外壁を外装する外装紙の上端に対する焦げの発生を防止することについては何ら考慮されたものではない。
【０００９】
本発明は、上記事情に鑑みてなされたものであり、電子レンジで加熱調理する際に、容器本体の外壁を外装する外装紙の上端部分の蓄熱を緩和させた断熱容器を提供することを目的とするものである。
【課題を解決するための手段】
【００１０】
かかる目的を達成するために、本発明は以下の特徴を有することとする。
【００１１】
本発明にかかる断熱容器は、カップ状の容器本体と、容器本体の外壁を外装する外装紙と、からなる断熱容器であって、容器本体には、内容液が注入されてなり、外装紙は、外装紙の上端が容器本体に注入された内容液の上液面の下側に位置するように外装されてなることを特徴とするものである。
【００１２】
また、本発明にかかる断熱容器において、外装紙は、外装紙の下端が容器本体に注入された内容液の底液面の上側に位置するように外装されてなることを特徴とするものである。
【００１３】
また、本発明にかかる断熱容器において、容器本体は、外装紙の上端の外装位置を固定する紙止部を有し、外装紙は、紙止部により外装紙の上端の外装位置が固定されることを特徴とするものである。
【００１４】
また、本発明にかかる断熱容器において、紙止部は、容器本体の外側に突出してなり、該突出した紙止部に、外装紙の上端が固定されてなることを特徴とするものである。
【００１５】
また、本発明にかかる断熱容器は、容器本体と、外装紙と、の間に空間が形成されてなることを特徴とするものである。
【発明の効果】
【００１６】
本発明にかかる断熱容器は、カップ状の容器本体と、容器本体の外壁を外装する外装紙と、からなる断熱容器であって、容器本体には、内容液が注入されてなり、外装紙は、外装紙の上端が容器本体に注入された内容液の上液面の下側に位置するように外装されてなることで、電子レンジで加熱調理した際に外装紙に蓄積される熱を、容器本体に注入されている内容液が吸収することになり、外装紙の上端部分に蓄積される熱量を緩和させることが可能となり、外装紙の上端部分に蓄熱された熱による容器本体の穴開きや外装紙の焦げの発生を回避することが可能となる。
【発明を実施するための最良の形態】
【００１７】
まず、図１を参照しながら、本実施形態における断熱容器について説明する。
【００１８】
本実施形態における断熱容器は、カップ状の容器本体（１）と、容器本体（１）の外壁を外装する外装紙（２）と、からなる断熱容器であり、容器本体（１）には、内容液（３）が注入されてなり、外装紙（２）は、外装紙（２）の上端が、容器本体（１）に注入された内容液（３）の上液面（６）の下側に位置し、外装紙（２）の下端が、容器本体（１）に注入された内容液（３）の底液面（７）の上側に位置するように外装されてなることを特徴とするものである。これにより、断熱容器を電子レンジで加熱調理した際に、容器本体（１）の外壁を外装する外装紙（２）に蓄積される熱を、容器本体（１）に注入されている内容液（３）が吸収することになり、外装紙（２）の上端と、外装紙（２）の下端と、に蓄積される熱量を低減させることが可能となり、容器本体（１）の穴開きや、外装紙（２）への焦げの発生を未然に回避することが可能となる。以下、添付図面を参照しながら、本実施形態における断熱容器について詳細に説明する。
【００１９】
（第１の実施形態）
まず、図１を参照しながら、本実施形態における断熱容器の構成について説明する。
【００２０】
本実施形態における断熱容器は、内容液（３）を注入する容器本体（１）と、容器本体（１）の外壁を外装する外装紙（２）と、容器本体（１）に注入された内容液（３）を密閉する蓋部（４）と、蓋部（４）全体を被覆するように包装するキャップ（５）と、を有して構成される。なお、容器本体（１）には、外装紙（２）の上端の外装位置を固定する紙止部（１１）を有して構成される。
【００２１】
本実施形態における断熱容器は、図１に示すように、外装紙（２）の上端が、容器本体（１）に注入された内容液（３）の上液面（６）の下側に位置し、外装紙（２）の下端が、容器本体（１）に注入された内容液（３）の底液面（７）の上側に位置するように、外装紙（２）が容器本体（１）に外装されている。以下、本実施形態における断熱容器を構成する各部について説明する。
【００２２】
＜容器本体１＞
容器本体（１）は、圧空成型法や真空成型法によって成型される円錐台形の形状からなる容器であり、内容液（３）が注入されるものである。容器本体（１）に適用可能な樹脂としては、耐熱性が強く、容器本体（１）の形成状態を変化させない樹脂が適用可能であり、例えば、ポリプロピレンが挙げられる。なお、本実施形態における容器本体（１）の厚さは、耐熱性や、容器本体（１）の形状維持を考慮し、０．２ｍｍ以上であることが好ましい。
【００２３】
＜外装紙２＞
外装紙（２）は、板紙からなるものであり、図２（ａ）に示す扇状に形成されたブランク板にて作成されることになる。外装紙（２）を容器本体（１）に嵌挿する際に、図２（ａ）に示すブランク板を内側に折り曲げ、オーバーラップ部で接着し、図２（ｂ）に示す上下共に開口した状態の筒状の外装紙（２）を作成することになる。なお、図２（ｂ）に示す筒状の外装紙（２）は、外装紙（２）の上端となる開口（２１）が、容器本体（１）に形成された紙止部（１１）の外周とテーパーが同じで隙間なく嵌挿できると共に、外装紙（２）の下端となる開口（２２）が、容器本体（１）の下部に隙間なく嵌挿できる寸法となっている。そして、容器本体（１）に外装紙（２）を嵌挿し、図１に示すように、容器本体（１）を垂直に立てた際に、外装紙（２）の上端となる開口（２１）が、図１に示すように、容器本体（１）に注入された内容液（３）の上液面（６）の下側に位置し、外装紙（２）の下端となる開口（２２）が、図１に示すように、容器本体（１）に注入された内容液（３）の底液面（７）の上側に位置するように構築することになる。なお、外装紙（２）は、例えば、和紙や洋紙の種別や、紙の厚さなどは任意であるが、巻付け作業性や耐熱性などを考慮し、適宜選択することが好ましい。なお、図３に、容器本体（１）に形成された紙止部（１１）と、外装紙（２）と、の係合状態を示す。
【００２４】
本実施形態における断熱容器は、図３に示すように、所定のテーパーと外周寸法、あるいは、直径を有する容器本体（１）の外壁に設けられた紙止部（１１）に対し、容器本体（１）よりゆるいテーパーと外周寸法より僅かに小さい内周寸法、あるいは、直径を有する外装紙（２）の上端となる開口（２１）を嵌挿するようにしたものである。この図３に示すように、容器本体（１）の外壁周辺を取り巻く環状の凸状の紙止部（１１）に、外装紙（２）の上端を固定する嵌挿構造にて断熱容器を構築することで、外装紙（２）に対する加工を少なくし、容器本体（１）に設けられた紙止部（１１）に外装紙（２）の上端の外装位置を固定させることが可能となる。
【００２５】
＜内容液３＞
内容液（３）は、容器本体（１）に注入されるものであり、内容液（３）の成分については特に限定しないものとする。なお、内容液（３）は、電子レンジで加熱調理するような材料が好ましい。
【００２６】
＜蓋部４、キャップ５＞
蓋部（４）は、容器本体（１）に注入した内容液（３）を容器本体（１）内に密封するためのものである。また、キャップ（５）は、蓋部（４）全体を被覆するように包装するものである。
【００２７】
次に、図４を参照しながら、本実施形態の断熱容器の製造方法について説明する。
【００２８】
まず、容器本体（１）の製造工程について説明する。
【００２９】
容器本体（１）は、図４に示すように、ロール状のシートを加熱し、同時抜き圧空成形により、図１に示す容器本体（１）を形成することになる（ステップＳ１）。
【００３０】
次に、外装紙（３）の製造工程について説明する。
【００３１】
外装紙（３）は、ロール状の紙の表面に印刷を施し（ステップＳ１１）、紙の裏面に対し、押し出しラミネート加工にてＰＥ（ポリエチレン）コートを施すことになる（ステップＳ１２）。そして、枚葉多面にてシートカットを施し（ステップＳ１３）、単面で扇状の型抜き加工を施し（ブランクカット）（ステップＳ１４）、図２（ａ）に示すブランク板を作成することになる。
【００３２】
次に、断熱容器の製造工程について説明する。
【００３３】
まず、容器本体（１）の製造工程により作成した容器本体（１）と、外装紙（２）の製造工程により作成した図２（ａ）に示すブランク板と、を紙巻機にセットし、図２（ａ）に示すブランク板を用いて、図２（ｂ）に示す上下共に開口した筒状の外装紙（２）を形成することになる（ステップＳ２１）。そして、上記形成した外装紙（２）を容器本体（１）に嵌挿し、外装紙（２）の上端となる開口（２１）が、容器本体（１）に注入された内容液（３）の上液面（６）の下側に位置し、外装紙（２）の下端となる開口（２２）が、容器本体（１）に注入された内容液（３）の底液面（７）の上側に位置するように接着し（ステップＳ２２）、図１に示す断熱容器を形成することになる。
【００３４】
このように、本実施形態における断熱容器は、厚さ０．２ｍｍ以上とした容器本体（１）に、外装紙（２）の上端の外装位置を固定する紙止部（１１）を設け、容器本体（１）を垂直に立てた際に、外装紙（２）の上端が、容器本体（１）に注入された内容液（３）の上液面（６）の下側に位置し、外装紙（２）の下端が、容器本体（１）に注入された内容液（３）の底液面（７）の上側に位置するように外装紙（２）を容器本体（１）に嵌挿して形成することで、該形成された断熱容器を電子レンジで加熱調理した際に、容器本体（１）の外壁を外装する外装紙（２）に蓄積される熱を、容器本体（１）に注入されている内容液（３）に吸収させることが可能となり、外装紙（２）の上端と、外装紙（２）の下端と、に蓄積される熱量を低減させ、容器本体（１）に対する穴開きや、外装紙（２）に対する焦げの発生を未然に回避することが可能となる。
【００３５】
（第２の実施形態）
次に、第２の実施形態について説明する。
第２の実施形態における断熱容器は、図５に示すように、外装紙（２）の内側に突出する突起部（２３）を外装紙（２）の上端に設け、その外装紙（２）の上端に設けた突起部（２３）を、容器本体（１）の外壁周辺を取り巻く環状の凸状の紙止部（１１）に固定し、外装紙（２）を容器本体（１）に固定することになる。この場合も、第１の実施形態と同様に、容器本体（１）を垂直に立てた際に、外装紙（２）の上端が、容器本体（１）に注入された内容液（３）の上液面（６）の下側に位置し、外装紙（２）の下端が、容器本体（１）に注入された内容液（３）の底液面（７）の上側に位置するように外装紙（２）を容器本体（１）に固定するように構築することになる。これにより、容器本体（１）と、外装紙（２）と、の間の空間領域を増加させることが可能となり、耐熱性を更に向上させることが可能となる。
【００３６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【実施例】
【００３７】
次に、本実施形態における断熱容器の実施例について説明する。
図１に示す本実施形態における断熱容器と、図６に示す従来の断熱容器と、を用い、内容液（３）として、４℃〜１０℃のコーヒー液を適用し、電子レンジにて加熱調理し、その後の断熱容器の形状について詳細に検討した。その実験結果を図７に示す。なお、図６は、従来の断熱容器の構成を示す図であり、容器本体（１）と、外装紙（２）と、が一体化され、外装紙（２）の上端が、容器本体（１）に注入された内容液（３）の上液面（６）よりも上側に位置し、外装紙（２）の下端が、容器本体（１）に注入された内容液（３）の底液面（７）よりも下側に位置するように構成されたものである。また、加熱調理する電子レンジ及びその加熱時間としては、以下の４つの場合について検討した。
【００３８】
（ａ）：ナショナル製  ＮＥ−１７０１Ａ  ７００Ｗで２分間加熱調理。
（ｂ）：ナショナル製  ＮＥ−ＪＳ２５  ６００Ｗで５分間加熱調理。
（ｃ）：ナショナル製  ＮＥ−３００Ｆ  ７００Ｗで５分間加熱調理。
（ｄ）：日立製  ＮＲＯ−Ｎ７００  ５００Ｗで５分間加熱調理。
【００３９】
図１に示す本実施形態の断熱容器の材質
容器本体（１）
ポリプロピレン樹脂（ＰＰシート  厚さ０．２ｍｍ）
外装紙（２）
紙（紙  ２８０ｇ／ｍ2 ／ＰＥ４０μｍコート）
【００４０】
図６に示す従来の断熱容器の材質
容器本体（１）
ポリプロピレン樹脂（ＰＰシート  厚さ０．２ｍｍ）
外装紙（２）
紙（紙  ２８０ｇ／ｍ2 ／ＰＥ４０μｍコート）
【００４１】
図７に示す実験結果から明らかなように、図６に示す従来の断熱容器は、電子レンジで加熱調理した場合には、容器本体（１）に対して穴が開いてしまい、また、外装紙（２）自体にも焦げが発生してしまうことになる。
【００４２】
これに対し、図１に示す本実施形態における断熱容器は、電子レンジで加熱調理した場合でも、容器本体（１）に対して穴が開くことはなく、尚かつ、外装紙（２）にも焦げが発生しない意匠性に優れた断熱容器を得ることになる。
【図面の簡単な説明】
【００４３】
【図１】本実施形態における断熱容器の構成を示す図である。
【図２】本実施形態における外装紙（２）の構成を示す図である。
【図３】本実施形態における断熱容器の容器本体（１）と、外装紙（２）と、の係合部分の構成を示す図である。
【図４】本実施形態における断熱容器の製造工程を示す図である。
【図５】第２の実施形態における断熱容器の構成を示す図である。
【図６】従来の断熱容器の構成を示す図である。
【図７】図１に示す本実施形態の断熱容器と、図６に示す従来の断熱容器と、の比較結果を示す図である。
【符号の説明】
【００４４】
１    容器本体
２    外装紙
３    内容液
４    蓋部
５    キャップ
６    上液面
７    底液面
１１    紙止部
２１、２２    開口
２３    突起部
【図１】
2006199310.tif 000003
【図２】
2006199310.tif 000004
【図３】
2006199310.tif 000005
【図４】
2006199310.tif 000006
【図５】
2006199310.tif 000007
【図６】
2006199310.tif 000008
【図７】
2006199310.tif 000009